(57)【要約】      （修正有）【課題】用済みの牛乳紙パックを、簡単且つ安全に切り開くことで用済みの牛乳紙パックの回収率を高めることを可能とする牛乳紙パック切り開き治具を提供する。【解決手段】四角孔６ａを備えた可動体２に、用済みの牛乳紙パックを挿入し、本体に取り付けたカッターにより、可動体２の上部を手で掴み回転させることで牛乳紙パックを簡単に且つ安全に切り開くことができる。また、牛乳紙パックの側面を可動体２に設けられたガイド枠６で固定し手で掴み回転させることで、カッターの刃が牛乳紙パックの側面の切り口に対しトルクモーメント効果により大きな力を加えることができ、牛乳紙パックの切り開きが容易にできる。【選択図】図３
0003186558.tif 000002
【実用新案登録請求の範囲】
【請求項１】
中心部に底部が四角形の牛乳紙パック（５）を挿入可能な箱状のガイド枠（６）を有し
内側に四角孔（６a）を備えた円形の可動体（２）と、前記可動体（２）と嵌合可能な周囲
側面に枠を有する本体（３）とからなり、前記可動体（２）に備えられた前記四角孔（６a）は前記円形の可動体（２）の中心に対して、２ｍｍ〜１５ｍｍ偏心して設けられている。前記本体（３）上の一箇所にカッターの刃（４）を備えている。前記可動体（２）に備えられた前記四角孔（６a）に前記牛乳紙パック（５）を底部より、前記本体（３）の内側の底面に前記牛乳紙パック（５）の底部が密着するまで挿入し前記本体（３）を片方の手で安定した台の上に押し付ける様に固定した後、前記可動体（２）を一回転させる事により、前記牛乳紙パック（５）の底部の３辺を切り開くことを特徴とする牛乳紙パック切り開き治具（１）。
【請求項２】
前記可動体（２）の上面の一部には、前記ガイド枠（６）の一辺と平行に設けられたカッター部（８）を有する突起部（９）を備えている。前記牛乳紙パック（５）の底部の３辺を切り開いた後、前記牛乳紙パック（５）の一角を、前記突起部（９）に設けられたカッター部（８）に差し込むように、又、引き抜くように挿入する事により、前記牛乳紙パック（５）の一角を切り開く事を特徴とする牛乳紙パック切り開き治具（１）。
【考案の詳細な説明】
【技術分野】
【０００１】
本考案は、用済みの牛乳紙パックを底部および側面を切り開くことにより、嵩張る
ことなく、また簡単に積み重ね梱包できることから廃棄物の回収率を高め、リサイクル
を促進する技術に関するものである。
【背景技術】
【０００２】
牛乳紙パックは、１リットル容器は主流であるが、大きさは幅７ｃｍ×７ｃｍ・高さ２１．
５ｃｍが一般的である。用済みの牛乳紙パックは、消費者がハサミまたはカッターで
切り開き複数枚重ねて、レジ袋に詰めスーパー等の販売先に持参し回収されている。
しかし、回収率は全国牛乳容器環境協議会のデータでは２００６年度３６．２％と低く、
紙は木材を原料にしていることから大量の自然界の木が伐採されている。このことは
地球環境に及ぼす影響は計りしれないことは言うまでもない。
【０００３】
回収が進まない大きな要因は、牛乳紙パックは１リットルの容積の周囲が紙でできて
おり紙パックの原型を留めたままでは嵩張り、切り開いたものでないと販売店が回収に
応じない点である。
【０００４】
回収を促進するために、消費者は用済みの牛乳紙パックをハサミまたはカッターで
切り開き複数枚重ねて、レジ袋に詰め販売先に持参しているが、煩雑な作業を嫌う消
費者も多く、このことが回収率の低い原因となっている。
【０００５】
この改善策として、カッターの刃を取り付けた治具に固定し、治具を手で持ち市販の
カッターナイフと同様な方法で牛乳パックなどの紙容器を切り開く方法がある。しかし、
この方法ではカッターの刃が露出しており、特に幼児が触って怪我をする恐れがあり
危険である。また、直接治具を持ちカッターの刃で引き削く様に切断せねばならず、
安全且つ簡単に切断できる治具とはいえない。
【特許文献１】特開２００４−１８１１７５号公報
【考案の開示】
【考案が解決しようとする課題】
【０００６】
解決しようとする問題点は、用済みの牛乳紙パックを、簡単且つ安全に切り開く方
法がなく、このことが用済みの牛乳紙パックの回収率が低い原因となっている点であ
る。
【課題を解決するための手段】
【０００７】
本考案は、牛乳紙パックを挿入可能な四角孔を備えた治具に、用済みの牛乳紙パ
ックを挿入し、可動体を回転させ、引き抜くことにより、本体に取り付けたカッターが、
牛乳紙パックの底部を切り開く、更に、可動体上部の突起部に備えられたカッターにより、牛乳紙パックの側面を切り開くことから、簡単に且つ安全に牛乳紙パックを切り開くことを最も主要な特徴とする。
【考案の効果】
【０００８】
本考案の牛乳紙パック切り開き治具は、可動体の上部を掴み回転させてカッター
の刃で牛乳紙パックの紙を切り開く構造となっており、カッターの刃で紙をきるときに
トルクモーメント効果により大きな加重で紙が切り開かれるのみでなく、回転運動に
より紙を切り開くことができ、またカッターの刃は露出していないことで安全に且つ軽
い回転で使用できる利点がある。
【考案を実施するための最良の形態】
【０００９】
可動体のガイド枠に差し込む形で四角孔に用済みの牛乳紙パックを本体３内部の
底部に接するまで挿入し、可動体を一回転させた後、牛乳紙パックを可動体のガイ
ド枠から引き抜くことで、牛乳紙パックの底部の３辺のみを簡単に切り開くことがで
きる。  可動体上部のカッター部８を有する突起部９に用済みの牛乳紙パックをガイド枠６の外側に添わせるように手前にスライドさせることで、牛乳紙パックの側面を切り開くことにより、用済みの牛乳紙パックを展開することができる。
【実施例１】
【００１０】
図１は、牛乳紙パック切り開き治具１の外観図であって、可動体２と本体３から構成されている。可動体２の側面と本体３は摺接するように嵌合し、可動体２は本体３に対し回転可能となっている。
【００１１】
図２は、本体３の外観図であって、可動体２と嵌合可能な周囲側面に枠１０を有し、内部の一箇所にカッター４を備えている。
【００１２】
図３は、可動体２の外観図であって、中心部には牛乳紙パック５を差し込むのに充分な四角孔６aを有するガイド枠６が設けられている。可動体２の側面には本体３の側面に設けられた切り込み１１と噛合う様に１又は複数箇所にストッパー７が設けられ、牛乳紙パック５を四角孔６aに挿入、又は引き抜く際にカッターが露出しないよう定位置で可動体２の回転が止まるようにクリック機能を果たすとともに、安全装置としての機能も備えている。
【００１３】
図４は、牛乳紙パック５の底部を切り開く状態を示す牛乳紙パック切り開き治具１の
断面図である。片手で本体３を安定した台の上に押し付ける様に固定すると同時に、
ストッパー７を押し解除し、もう片方の手で可動体２に設けられたガイド枠６を掴むよう
にして図４に示す矢印A方向に回転させることにより、牛乳紙パック５の底部を、カッ
ター４で簡単に切り開くことができる。その後、牛乳紙パック５を牛乳紙パック切り開き
治具１の上部より引き抜く様にして抜き取る。また、可動体２の四角孔６aは、円形の可動体の中心に対して２ｍｍ〜１５ｍｍ偏心して設けられているため、牛乳紙パック５の底部を３辺のみ切り開くことができ、牛乳紙パック５の側面部分と底部がつながった状態で抜き取ることができる。更に、牛乳紙パック５の外側を可動体２に設けられたガイド枠６で固定し回転させることから、カッターの刃４に最大モーメントを利用した加重を牛乳紙パック５の切断部に集中させることを大きな特徴とする。
【００１４】
図５は、牛乳紙パック５の底部の３辺を切り開いた後、牛乳紙パックの側面の一箇所を切り開く状態を示す牛乳紙パック切り開き治具１の外観図である。カッターを備えた突起部９に差し込むように、B方向に牛乳紙パック５を挿入することにより、牛乳紙パック５の側面の一箇所を切り開くことができる。
【産業上の利用可能性】
【００１５】
これまで煩雑な作業を要した牛乳紙パックの切り開き作業が、牛乳紙パック切り開
き治具１を用いることにより、用済みの牛乳紙パックの底部、及び側面を簡単に切り開くことができるようになった。牛乳紙パックの切り開きがされないことからそのまま廃棄されていた牛乳紙パックのリサイクルの促進と回収率の向上に効果的に寄与できる。
【図面の簡単な説明】
【００１６】
【図１】牛乳紙パック切り開き治具の外観図を示した説明図である。
【図２】牛乳紙パック切り開き治具の本体を示した説明図である。
【図３】牛乳紙パック切り開き治具の可動体を示した説明図である。
【図４】牛乳紙パック切り開き治具による牛乳紙パック底部の切り開き方法を示した説明図である。
【図５】牛乳紙パック切り開き治具による牛乳紙パック側面の切り開き方法を示した説明図である。
【符号の説明】
【００１７】
１    牛乳紙パック切り開き治具
２    可動体
３    本体
４    カッターの刃
５    牛乳紙パック
６    ガイド枠
６a   四角孔
７    ストッパー
８    カッター部
９    突起部
１０  枠
１１  切り込み  
【図１】
0003186558.tif 000003
【図２】
0003186558.tif 000004
【図３】
0003186558.tif 000005
【図４】
0003186558.tif 000006
【図５】
0003186558.tif 000007
【手続補正書】
【提出日】平成25年7月25日(2013.7.25)
【手続補正１】
【補正対象書類名】実用新案登録請求の範囲
【補正対象項目名】全文
【補正方法】変更
【補正の内容】
【実用新案登録請求の範囲】
【請求項１】
中心部に底部が四角形の牛乳紙パック（５）を挿入可能な箱状のガイド枠（６）を有し、内側に四角孔（６ａ）を備えた円形の可動体（２）と、前記可動体（２）と嵌合可能な周囲側面に枠を有する本体（３）とからなり、前記可動体（２）に備えられた前記四角孔（６ａ）は前記円形の可動体（２）の中心に対して、２ｍｍ〜１５ｍｍ偏心して設けられ、前記本体（３）上の一箇所にカッターの刃（４）を備えており、前記可動体（２）に備えられた前記四角孔（６ａ）に前記牛乳紙パック（５）を底部より、前記本体（３）の内側の底面に前記牛乳紙パック（５）の底部が密着するまで挿入し前記本体（３）を片方の手で安定した台の上に押し付ける様に固定した後、前記可動体（２）を一回転させる事により、前記牛乳紙パック（５）の底部の３辺を切り開くことを特徴とする牛乳紙パック切り開き治具（１）。
【請求項２】
前記可動体（２）の上面の一部には、前記ガイド枠（６）の一辺と平行に設けられたカッター部（８）を有する突起部（９）を備え、前記牛乳紙パック（５）の底部の３辺を切り開いた後、前記牛乳紙パック（５）の一角を、前記突起部（９）に設けられたカッター部（８）に差し込むように、又、引き抜くように挿入する事により、前記牛乳紙パック（５）の一角を切り開く事を特徴とする請求項１記載の牛乳紙パック切り開き治具（１）。